(57)【要約】【課題】使用が容易で、衝撃荷重を受けた場合でも関連するアセンブリを強固に連結する連結装置等を提供する。【解決手段】第１、第２のアセンブリ４，５を着脱可能に連結する連結装置１であって、第１のアセンブリ４に固定可能で負圧要素２７を有する締結モジュール２を備え、負圧要素２７が、第２のアセンブリ５の取付部分５０に両者間の負圧の作用により連結可能であり、締結モジュール２が、負圧要素２７に対して調整可能な調整要素２３であって、取付部分５０から負圧要素２７を外すために負圧要素２７に対して移動可能な調整要素２３を有し、第１のアセンブリ４が、第１のアセンブリ４と第２のアセンブリ５とにおける相対移動により調整要素２３の移動が生じるように、調整要素２３に連結可能である。【選択図】図１Ａ
2021501835.tif 000002
【特許請求の範囲】
【請求項１】
２つのアセンブリ（４，５）を着脱可能に連結する連結装置（１）であって、前記アセンブリ（４，５）のうちの第１のアセンブリに固定可能でありかつ負圧要素（２７）を有する締結モジュール（２）を備え、
前記負圧要素が、前記アセンブリ（４，５）を連結するために前記アセンブリ（５，４）のうちの第２のアセンブリの取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用する、連結装置（１）において、
前記締結モジュール（２）が、前記負圧要素（２７）に対して調整可能な調整要素であって、前記取付部分（５０）から前記負圧要素（２７）を外すために前記負圧要素（２７）に対して移動可能な調整要素（２３）を有し、
前記アセンブリ（４，５）のうちの前記第１のアセンブリが、前記アセンブリ（４，５）のうちの当該第１のアセンブリと前記アセンブリ（４，５）のうちの前記第２のアセンブリとにおける相対移動により前記調整要素（２３）の移動が生じるように、前記調整要素に連結可能であることを特徴とする連結装置（１）。
【請求項２】
請求項１に記載の連結装置（１）において、前記締結モジュール（２）が、前記負圧要素（２７）に対する前記調整要素（２３）の移動の結果として、前記負圧要素（２７）と前記取付部分（５０）との間の空間（Ｂ）に空気を流入させるために開放することができる流れ開口（２５１，２７４）を有することを特徴とする連結装置（１）。
【請求項３】
請求項２に記載の連結装置（１）において、前記調整要素（２３）が、前記連結装置（１）の前記連結状態において前記負圧要素（２７）に対して第１位置をとり、前記取付部分（５０）から前記負圧要素（２７）を取り外すために、前記流れ開口（２５１，２７４）を開放するように前記第１位置から脱するよう調整可能であることを特徴とする連結装置（１）。
【請求項４】
請求項３に記載の連結装置（１）において、前記調整要素（２３）が、前記負圧要素（２７）に対して前記第１位置をとるように、ばねにより付勢されていることを特徴とする連結装置（１）。
【請求項５】
請求項１から４のいずれか一項に記載の連結装置（１）において、前記負圧要素（２７）が少なくとも部分的に弾性を有するカップ要素からなり、前記取付部分（５０）が前記第２のアセンブリ（５）に形成された取付面からなり、前記アセンブリ（２，３）を連結するために、前記取付面に前記負圧要素（２７）を接触させることができることを特徴とする連結装置（１）。
【請求項６】
請求項１から５のいずれか一項に記載の連結装置（１）において、前記調整要素（２３）が、前記負圧要素（２７）または前記負圧要素（２７）に固定して連結されている要素に案内されることを特徴とする連結装置（１）。
【請求項７】
請求項１から６のいずれか一項に記載の連結装置（１）において、前記調整要素（２３）が、前記負圧要素（２７）に対して回転可能、移動可能および／または傾動可能であることを特徴とする連結装置（１）。
【請求項８】
請求項１から７のいずれか一項に記載の連結装置（１）において、前記締結モジュール（２）が、前記負圧要素（２７）に対して移動可能な作動要素（２８）を有し、前記アセンブリ（４，５）のうちの前記第１のアセンブリが、前記作動要素に固定可能であり、前記作動要素が、当該作動要素（２８）が作動されたときに前記調整要素（２３）が移動されるように前記調整要素（２３）と相互に作用することを特徴とする連結装置（１）。
【請求項９】
請求項１から８のいずれか一項に記載の連結装置（１）において、前記調整要素（２３）が、前記負圧要素（２７）に連結された円筒部（２５）に案内され、前記円筒部（２５）に対して調整可能であることを特徴とする連結装置（１）。
【請求項１０】
請求項９に記載の連結装置（１）において、前記調整要素（２３）が、前記円筒部（２５）に対して、螺旋の一部に沿って延びる案内トラック（２１１）に案内されることを特徴とする連結装置（１）。
【請求項１１】
請求項１０に記載の連結装置（１）において、前記締結モジュール（２）が、前記円筒部（２５）の周囲で円周方向に延在する側面（２１０）をもつ案内部（２１）を有し、前記案内トラック（２１１）が、前記側面に形成されていることを特徴とする連結装置（１）。
【請求項１２】
請求項９から１１のいずれか一項に記載の連結装置（１）において、前記調整要素（２３）における頭部（２３２）が、前記円筒部（２５）の円筒キャビティ（２５３）内にあり、前記調整要素（２３）が、前記円筒部（２５）における前記円筒キャビティ（２５３）を囲む内面（２５０）に沿って摺動自在に調整可能であることを特徴とする連結装置（１）。
【請求項１３】
請求項１２に記載の連結装置（１）において、前記頭部（２３２）が、前記内面（２５０）に液密に当接することを特徴とする連結装置（１）。
【請求項１４】
請求項１から１３のいずれか一項に記載の連結装置（１）において、前記第２のアセンブリ（５）の前記取付部分（５０）に固定可能な取付アセンブリ（３）であって、取付部（３０）を有する取付アセンブリを有し、前記締結モジュール（２）が、前記アセンブリ（４，５）を連結するために前記取付部と相互に作用するように配置されることができることを特徴とする連結装置（１）。
【請求項１５】
請求項１４に記載の連結装置（１）において、前記調整要素（２３）が第１押し込み結合部（２３３）を有し、前記取付部（３０）が第２押し込み結合部（３００）を有し、これらの押し込み結合部が、前記締結モジュール（２）と前記取付部（３０）とが組み付けられている間、押し込み結合により係合して、前記締結モジュール（２）と前記取付部分（５０）とにおける相対的な横方向の移動を阻止することを特徴とする連結装置（１）。
【請求項１６】
請求項１４または１５に記載の連結装置（１）において、前記負圧要素（２７）または前記負圧要素（２７）に連結された要素が第１係合部（２５２）を有し、前記取付部（３０）が第２係合部（３０１）を有し、これらの係合部が、前記締結モジュール（２）と前記取付部（３０）とが組み付けられている間、係合して、前記取付部（３０）に対する前記負圧要素（２７）の回転動作を阻止することを特徴とする連結装置（１）。
【請求項１７】
請求項１から１６のいずれか一項に記載の連結装置（１）において、前記締結モジュール（２）が、前記アセンブリ（４，５）同士の連結を磁気的に補助する第１磁石要素（２４）を有することを特徴とする連結装置（１）。
【請求項１８】
請求項１７に記載の連結装置（１）において、前記第１磁石要素（２４）が、前記調整要素（２３）に配置されており、前記調整要素（２３）と共に調整可能であることを特徴とする連結装置（１）。
【請求項１９】
請求項１７に記載の連結装置（１）において、前記第１磁石要素（２４）が、前記負圧要素（２７）に配置されていることを特徴とする連結装置（１）。
【請求項２０】
請求項１７から１９のいずれか一項に記載の連結装置（１）において、前記締結モジュール（２）の前記第１磁石要素（２４）と磁気的に相互に作用するために、前記取付部分（５０）に固定可能な第２磁石要素（３１）を有することを特徴とする連結装置（１）。
【請求項２１】
請求項１から２０のいずれか一項に記載の連結装置（１）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とする連結装置（１）。
【請求項２２】
電子機器、特に、カメラまたは携帯電話であって、当該電子機器を関連するアセンブリに連結するために請求項１から２１のいずれか一項に記載の連結装置（１）を備える電子機器。
【請求項２３】
電子機器（４，５）、特に、カメラまたは携帯電話であって、当該電子機器（４，５）を他のアセンブリ（５，４）に着脱可能に連結するための連結装置（１）を備え、
前記連結装置（１）が、負圧要素（２７）を有する締結モジュール（２）を備え、
前記負圧要素が、前記電子機器（４，５）を前記他のアセンブリ（５，４）に連結するために取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用する電子機器（４，５）において、
前記締結モジュール（２）が、前記他のアセンブリ（５，４）に対する前記電子機器（４，５）の連結を磁気的に補助する第１磁石要素（２４）を有することを特徴とする電子機器（４，５）。
【請求項２４】
請求項２３に記載の電子機器（４，５）において、前記第１磁石要素（２４）が、前記負圧要素（２７）に配置されていることを特徴とする電子機器（４，５）。
【請求項２５】
請求項２３または２４に記載の電子機器（４，５）において、前記締結モジュール（２）の前記第１磁石要素（２４）と磁気的に相互に作用するために、前記取付部分（５０）に固定可能な第２磁石要素（３１）を有することを特徴とする電子機器（４，５）。
【請求項２６】
請求項２３から２５のいずれか一項に記載の電子機器（４，５）において、前記負圧要素（２７）が、少なくとも部分的に弾性を有するカップ要素からなることを特徴とする電子機器（４，５）。
【請求項２７】
請求項２３から２６のいずれか一項に記載の電子機器（４，５）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とする電子機器（４，５）。
【請求項２８】
ヘルメット（５）、特に、スポーツ用ヘルメットであって、当該ヘルメット（５）を他のアセンブリ（４）に着脱可能に連結するための連結装置（１）を備え、
前記連結装置（１）が、負圧要素（２７）を有する締結モジュール（２）を備え、
前記負圧要素が、前記ヘルメット（５）を前記他のアセンブリ（４）に連結するために取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用するヘルメット（５）において、
前記締結モジュール（２）が、前記他のアセンブリ（４）に対する前記ヘルメット（５）の連結を磁気的に補助する第１磁石要素（２４）を有することを特徴とするヘルメット（５）。
【請求項２９】
請求項２８に記載のヘルメット（５）において、前記第１磁石要素（２４）が、前記負圧要素（２７）に配置されていることを特徴とするヘルメット（５）。
【請求項３０】
請求項２８または２９に記載のヘルメット（５）において、前記締結モジュール（２）の前記第１磁石要素（２４）と磁気的に相互に作用するために、前記取付部分（５０）に固定可能な第２磁石要素（３１）を有することを特徴とするヘルメット（５）。
【請求項３１】
請求項２８から３０のいずれか一項に記載のヘルメット（５）において、前記負圧要素（２７）が、少なくとも部分的に弾性を有するカップ要素からなることを特徴とするヘルメット（５）。
【請求項３２】
請求項２８から３１のいずれか一項に記載のヘルメット（５）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とするヘルメット（５）。
【請求項３３】
容器本体（５１）と、
前記容器本体（５１）に配置可能な蓋（２９）と、
前記容器本体（５１）に前記蓋（２９）を着脱可能に連結する連結装置（１）と
を備える容器、特に、飲料用ボトルにおいて、
前記連結装置（１）が、負圧要素（２７）を有する締結モジュール（２）を備え、
前記負圧要素が、前記容器本体（５１）に前記蓋（２９）を連結するために取付アセンブリ（３）に取付方向（Ａ）で連結可能であり、かつ、連結状態において、前記蓋（２９）および前記容器本体（５１）に前記取付方向（Ａ）とは反対方向に荷重がかかったとき、前記負圧要素（２７）と前記取付アセンブリ（３）との間の負圧の作用により前記締結モジュール（２）および前記取付アセンブリ（３）の連結が維持されるように、前記取付アセンブリ（３）と相互に作用することを特徴とする容器。
【請求項３４】
請求項３３に記載の容器において、前記容器本体（５１）に対する前記蓋（２９）の連結を磁気的に補助するために、前記締結モジュール（２）が第１磁石要素（２４）を有し、前記取付アセンブリ（３）が第２磁石要素（３１）を有することを特徴とする容器。
【請求項３５】
請求項３３または３４に記載の容器において、前記締結モジュール（２）が、前記容器本体（５１）から前記蓋（２９）を取り外すために、前記取付アセンブリ（３）に対して開放方向（Ｏ）に移動可能であることを特徴とする容器。
【請求項３６】
請求項３５に記載の容器において、前記締結モジュール（２）が複数の第１磁石要素（２４）を有し、前記取付アセンブリ（３）が複数の第２磁石要素（３１）を有し、前記第１磁石要素（２４）と第２磁石要素（３１）とが、前記連結状態において磁気吸引作用により相互に作用し、前記連結状態から脱して前記開放方向（Ｏ）に相対的に移動した状態において磁気反発作用により相互に作用することを特徴とする容器。
【請求項３７】
請求項３３から３６のいずれか一項に記載の容器において、前記負圧要素（２７）が、少なくとも部分的に弾性を有するカップ要素からなることを特徴とする容器。
【請求項３８】
請求項３３から３７のいずれか一項に記載の容器において、前記締結モジュール（２）が前記蓋（２９）の構成部分であり、前記取付アセンブリ（３）が前記容器本体（５１）に連結されていることを特徴とする容器。
【発明の詳細な説明】
【技術分野】
【０００１】
本発明は、請求項１の前提部に記載される２つのアセンブリを着脱可能に連結する連結装置と、電子機器と、ヘルメットと、容器とに関する。
【背景技術】
【０００２】
前記形式の連結装置は、前記アセンブリのうちの第１のアセンブリに固定可能でありかつ負圧要素を有する締結モジュールを備え、前記負圧要素が、前記アセンブリを連結するために前記アセンブリのうちの第２のアセンブリの取付部分に取付方向で連結可能であり、かつ、連結状態において、前記締結モジュールおよび前記取付部分に前記取付方向とは反対方向に荷重がかかったとき、前記負圧要素と前記取付部分との間の負圧の作用により前記負圧要素および前記取付部分の連結が維持されるように、前記取付部分と相互に作用する。
【０００３】
本願の場合、連結装置は、特に、電子機器を関連するアセンブリに固定するために使用できるように構成されている。したがって、この連結装置は、例えば、カメラをヘルメット（例えば、スキー用ヘルメットもしくは自転車用ヘルメット）に固定すること、または携帯電話もしくは他の電子機器を車両内（例えば、車両のフロントガラスもしくはダッシュボード）に固定することができるものであってもよい。
【０００４】
カメラがヘルメット（例えば、スキー用ヘルメットもしくは自転車用ヘルメット）に固定される場合、または携帯電話が車両のダッシュボードもしくは車両のハンドルに固定される場合、使用時にインパルス状の衝撃力が作用することがあり、この衝撃力を受けて消散させて、特に、前記カメラまたは携帯電話が外れてしまわないようにしなければならない。したがって、電子機器（例えば、カメラまたは携帯電話）を固定する連結装置は、特に、短時間に作用するインパルス状の衝撃力を吸収できるようにするべきである。
【０００５】
全く異なるアセンブリ同士を固定するために、また、例えば、携帯電話またはナビゲーション装置の形態の電子機器を車両に固定するために、負圧により保持作用を提供する連結装置が公知である。例えば、米国特許出願公開第２０１３／０３２３３８８号（特許文献１）には、携帯電話を車両のフロントガラスに固定するために、吸着カップ（吸盤）からなる負圧要素を用いる連結装置が開示されている。この吸着カップは前記目的のためにフロントガラスに取り付けられ、フロントガラスにおける保持性を向上させるために、吸着カップには、フロントガラスにおける磁気作用要素と相互に作用することができる磁石要素が設けられている。
【０００６】
米国特許第５，１９２，０４３号（特許文献２）から公知の、金属表面に警報装置を固定する連結装置の場合、磁性ゴム表面が金属表面に取り付けられ、取付時に真空を発生させることで、ゴム表面と金属表面との間の磁性作用および負圧力によって警報装置が金属表面に保持される。
【０００７】
欧州特許第０６８９９６６号（特許文献３）から公知の連結装置は、吸着カップが設けられた磁性接触板を備える。この連結装置を用いることで、スキー用キャリアを車両の車両ルーフに固定することができる。
【先行技術文献】
【特許文献】
【０００８】
【特許文献１】米国特許出願公開第２０１３／０３２３３８８号明細書
【特許文献２】米国特許第５１９２０４３号明細書
【特許文献３】欧州特許第０６８９９６６号明細書
【発明の概要】
【発明が解決しようとする課題】
【０００９】
このような連結装置は、まず、関連するアセンブリ間の連結を生じさせるために容易に密着（close ）できるものとするべきである。その一方で、このような連結装置は、特に、負圧を解消し、かつ場合によっては磁気連結も解消しつつ、突然の破損を防止するために分離（open）が容易であることも望ましい。
【００１０】
本発明の目的は、使用が容易で、特に、密着が容易でありながらも再度分離することが容易であり、かつ衝撃荷重を受けた場合でも関連するアセンブリを強固に連結する連結装置を提供することである。
【課題を解決するための手段】
【００１１】
この課題は、請求項１の構成を有する主題によって達成される。
【００１２】
前記請求項によると、前記締結モジュールが、前記負圧要素に対して調整可能な調整要素であって、前記取付部分から前記負圧要素を外すために前記負圧要素に対して移動可能な調整要素を有し、前記アセンブリのうちの前記第１のアセンブリが、前記アセンブリのうちの当該第１のアセンブリと前記アセンブリのうちの前記第２のアセンブリとにおける相対移動により前記調整要素の移動が生じるように、前記調整要素に連結可能である。
【００１３】
つまり、前記連結装置は、前記締結モジュールに配置されかつ前記負圧要素に対して調整可能な調整要素を備える。前記締結モジュールと関連付けられた前記第１のアセンブリが、前記第２のアセンブリに対する前記第１のアセンブリの移動が前記調整要素の移動を生じさせるように前記調整要素に動作可能に連結できることによって、前記調整要素により、前記取付部分から前記負圧要素を取り外すことができる。
【００１４】
前記第１のアセンブリは、例えば、カメラまたは携帯電話などの電子機器によって実現してもよい。この場合、前記第１のアセンブリは、前記連結装置を取り外すために、ユーザーが例えばカメラまたは携帯電話である前記第１のアセンブリに作用して前記調整要素を移動させることで、前記締結モジュールを関連付けられた前記取付部分から取り外すことができるように、前記調整要素に直接または間接的に連結されていてもよい。
【００１５】
前記連結装置の場合、前記アセンブリのうちの第１のアセンブリに連結されている前記締結モジュールが、前記アセンブリのうちの第２のアセンブリの取付部分に取り付けられている（または、逆に前記取付部分が前記締結モジュールに取り付けられている）ことにより、固定し合う前記アセンブリ間の連結が生じる。取付中は、これらのアセンブリ同士が負圧作用により保持されるように、前記負圧要素と前記取付部分との間に密閉された空間が形成される。このような連結は、特に、衝撃荷重に耐え得るものであり、前記連結装置を介して衝撃力を受けて消散させることができる。
【００１６】
前記連結装置により、例えば、カメラをヘルメットに固定すること、または携帯電話を車両内（例えば、フロントガラスもしくはダッシュボード）に固定することが可能である。
【００１７】
前記連結装置の前記連結状態において、前記負圧要素および前記取付部分が、例えば、前記負圧要素と前記取付部分との間に実質的に空間が存在しないように、面同士で接触してもよい。しかしながら、これらのアセンブリに荷重がかかった場合、前記取付部分に対して相対的に前記締結モジュールに力が作用することがある。前記力は、前記負圧要素と前記取付部分との間に形成された空間を拡大または形成する方向に作用し、前記空間は前記負圧要素と前記取付部分との間に負圧を生じさせる。これにより、前記負圧要素を前記取付部分に保持する保持力が生じ、この保持力は、前記取付部分に対して前記締結モジュールが受ける荷重が強くなるほど大きくなる傾向がある。よって、前記締結モジュールは、当該締結モジュールが前記取付部分に取り付けられたとき、負圧作用により前記取付部分に対して保持される。
【００１８】
ここで、前記締結モジュールが、前記負圧要素に対する前記調整要素の移動の結果として、前記負圧要素と前記取付部分との間の空間に空気を流入させるために開放することができる流れ開口を有していてもよい。例えば、前記調整要素が、前記連結装置の前記連結状態において、前記負圧要素に対して、前記空間への空気の流入が防止されるように（前記負圧要素と前記取付部分との間の空間側から見たとき）前記流れ開口が閉止されている第１位置をとってもよい。前記調整要素を、前記第１位置から第２位置に移動させることで、前記流れ開口を開放し、前記負圧要素と前記取付部分との間に形成された空間に空気を流入させることができる。そうすると、前記流れ開口を通る空気の流入により前記負圧要素と前記取付部分との間の負圧作用がなくなるので、負圧作用が働くことなく、前記締結モジュールを前記取付部分から取り外すことができる。
【００１９】
１つの有利な実施形態では、前記調整要素が、その第１位置の方向にばねにより付勢されている。これにより、前記調整要素は、作動されていない場合には、特に前記連結装置の前記連結状態において、自動的に第１位置をとって前記流れ開口を閉止するので、前記負圧要素と前記取付部分との間に負圧作用が生じる。
【００２０】
このため、前記締結モジュールが、前記第１位置の方向に前記調整要素を付勢する弾性付勢要素を備えることが好ましい。調整の間、前記調整要素は前記付勢要素の付勢作用に反して移動され、動作の終了後、前記調整要素はその第１位置に自動的に戻る。
【００２１】
前記締結モジュールの前記負圧要素および前記第２のアセンブリの前記取付部分が、全く異なるように設計され、全く異なる方法で相互に作用してもよい。
【００２２】
第１実施形態において、前記負圧要素が、例えば円筒（円柱）状の要素であり、円筒状の容器として構成された取付部分に挿入されるように構成されてもよい。ここで、前記負圧要素および前記取付部分は剛性の非弾性部品として形成してもよく、例えば、前記負圧要素が、前記取付部分の開口に正確に嵌合した状態で導入可能であるように、これらの形状が適合されている。前記負圧要素を前記取付部分に取り付ける間に、前記負圧要素と前記取付部分との間に形成された空間から、例えば、空気抜き用に設けられたバルブを介して空気が抜ける場合、前記負圧要素と前記取付部分との間に真空が形成される。これにより、前記負圧要素に対して前記取付部分から外れる方向に荷重がかかった場合に負圧が生じるので、前記負圧要素は前記取付部分に対して保持される。
【００２３】
この場合、前記負圧要素および当該負圧要素のために設けられた前記取付部分の前記開口が円形断面を有していてもよい。しかしながら、基本的には、任意の所望の断面形状が可能であり、例えば多角形断面、例えば多角形、または全く任意の他の形状とすることも可能である。したがって、本明細書における「円筒」という表現は、任意の所望の断面形状を有する一般的な筒として理解されたい。
【００２４】
上述の変形例において、前記負圧要素および取付部分が、一方が他方の内部に挿入されるように構成された剛体部品としてそれぞれ形成されていてもよい。しかしながら、これらの部品同士を密封するために、一方または両方の部品に１つ以上の弾性シールを設けることも可能である。
【００２５】
この第１実施形態において、例えば、バルブからなる流れ開口を、前記調整要素の調整によって開弁することで、前記負圧要素と前記取付部分との間の負圧を解消するようにできる。
【００２６】
別の第２実施形態においては、前記負圧要素が少なくとも部分的に弾性を有するカップ要素からなり、前記取付部分が前記第２のアセンブリに形成された取付面からなり、前記アセンブリを連結して負圧作用を与えるために、前記取付面に前記負圧要素を接触させることができる。この場合には、前記負圧要素が弾性吸着カップのような部品を構成し、この部品が、弾性変形した状態で、前記負圧要素と前記表面との間に真空を形成することによって前記アセンブリ同士を保持する保持力を得るために、関連する前記第２のアセンブリの表面に配置することができる。
【００２７】
この場合、前記調整要素を、例えば、バルブの形態である流れ開口を開放するために移動させることで、前記負圧要素と前記取付部分との間の空間に空気を流入させることができる。しかしながら、代替的に、前記調整要素を移動させた結果として、前記カップ要素の形態の前記負圧要素が前記表面から持ち上げられ（例えば、前記表面から垂直方向に引っ張られ）、例えば、力分散要素（force-diverting elements）が前記締結モジュールと前記取付部分の間に分離力を生じさせる構成とすることも可能である。
【００２８】
一実施形態においては、前記調整要素が、前記負圧要素または前記負圧要素に固定して連結されている要素に案内される。ここで、前記負圧要素に対する前記調整要素の移動は、直線状または曲線状（例えば、円弧状曲線）の案内トラックに沿って生じてもよい。案内された移動により、例えば、流れ開口を開放することで前記負圧要素と前記取付部分との間に空気を流し、これにより、前記負圧要素と前記取付部分との間の負圧作用を解消することができる。
【００２９】
前記調整要素が、基本的に、前記負圧要素に対して回転可能、移動可能および／または傾動可能であってもよい。例えば、前記調整要素が、フラップ要素またはレバー要素として、前記負圧要素または前記負圧要素に連結された部品に回動可能に取り付けられていてもよく、また、前記負圧要素に対して回動されることで流れ開口を開放し、それにより前記負圧要素と前記取付部分との間の負圧作用を解消してもよい。
【００３０】
前記第１のアセンブリは前記調整要素に直接または間接的に連結されているので、特に前記締結モジュールを前記取付部分から取り外すために、前記第１のアセンブリを移動させると前記調整要素も移動させることになる。前記第１のアセンブリが前記調整要素に直接配置されている場合、前記第１のアセンブリは、例えばねじ結合により、前記調整要素に固定して連結されている。前記第１のアセンブリが前記調整要素に直接連結されている場合、前記第１のアセンブリは、例えば作動要素に配置されていてもよく、この作動要素は、当該作動要素が作動したときに前記調整要素も移動されるように、前記調整要素に動作可能に連結されている。前記作動要素は、例えば、回動動作の間、前記調整要素に作用し移動させることで、前記負圧要素と前記取付部分との間の負圧作用を解消するために流れ開口を開放させる、例えばレバーの形態であってもよい。
【００３１】
特定の実施形態においては、前記締結モジュールが、前記負圧要素に固定して連結されかつ前記調整要素を案内する円筒部を有する。例えば、前記調整要素が、その（円形断面を有する）頭部が前記円筒部の（円形断面を有する）円筒キャビティ内にある状態で配置され、前記円筒部における前記円筒キャビティを囲む内面に沿って摺動自在に調整可能であってもよい。これにより、前記調整要素は、前記円筒部の前記円筒キャビティにおける当該調整要素の調整によって、前記負圧要素と前記取付部分との間の前記空間の容積を大きくすることができるように、前記円筒部の前記円筒キャビティにおいてピストンのように動作する。このように、調整を行う間、前記調整要素は前記円筒部内で移動されて、前記円筒部の前記キャビティ内で摺動される。
【００３２】
一実施形態においては、前記調整要素が、前記円筒部に対して、螺旋の一部に沿って延びる案内トラックに案内される。例えば、前記円筒部の周囲で円周方向に延在する側面をもち、前記円筒部の径方向外側に設けられている案内部に、前記案内トラックが形成されていてもよい。前記案内トラックは、前記側面にスロット状に形成されていてもよく、例えば、前記調整要素に連結されたケーシング部の案内要素が、前記案内トラックに案内される。
【００３３】
前記調整要素が案内される単一の案内トラックを設けることが考えられる。しかし、互いに円周方向にオフセットした複数の案内トラックを設け、それぞれに対して前記調整要素に連結されたケーシング部の１つの案内要素が係合することにより、前記円筒部に対して前記調整要素を移動自在にかつ定められたように案内させることも可能である。この場合、前記調整要素と前記円筒部の間の干渉が防止される。
【００３４】
前記案内トラックが螺旋の一部に沿って延びている。この場合には、前記調整要素は、前記案内トラックで案内されることにより、調整時に、前記螺旋がなす螺旋状の線に沿って軸方向に徐々に移動させることができる。よって、前記調整要素の回転動作は前記円筒部の円筒軸心に沿った軸方向移動に変換されるので、前記調整要素を、ねじ運動を伴う回転によって移動自在に調整することができる。
【００３５】
前記円筒部の前記キャビティに配置された前記頭部により、前記調整要素が、前記円筒部の前記内面に対して、好ましくは液密に封止することができる。このため、前記頭部は、例えば、空気が前記頭部を通過できない程度に正確に嵌合した状態で前記円筒部の前記キャビティに配置される。よって、空気は、前記頭部を通過して前記負圧要素と前記取付部分との間に形成された空間に流入することができず、前記調整要素を調整しなければ、前記空間における負圧が維持され、前記アセンブリ同士が確実に保持される。
【００３６】
前記頭部が、正確に嵌合した状態で前記円筒部の前記キャビティに配置されてもよい。しかしながら、前記頭部と前記円筒部の前記内面との間隙を封止するために、例えば前記頭部に、環状のシールを設けることも可能である。
【００３７】
一実施形態においては、前記流れ開口が前記円筒部に形成されている。前記第１位置から前記調整要素を調整している間、前記流れ開口が開放されることにより、前記負圧要素と前記取付部分との間を空気が流れることができ、これにより、前記負圧要素と前記取付部分との間の負圧作用が解消される。前記流れ開口はバルブの機能を果たし、前記負圧要素が前記取付部分に取り付けられたときにこの流れ開口が閉止されることにより、前記負圧要素と前記取付部分との間に負圧作用が生じる。前記連結装置を分離するために、前記流れ開口を、前記負圧要素と前記取付部分との間に外部から空気が流入できるように前記調整要素を調整することによって、開放してもよい。これにより、前記連結装置の保持力が解消されるので、前記連結装置によって連結されていた前記アセンブリを容易に分離できる。
【００３８】
前記流れ開口を、前記円筒部の円筒壁において軸方向に凹んだ位置に、つまり、前記負圧要素が前記取付部分に取り付けられたとき、前記調整要素の前記頭部が前記流れ開口と前記取付部分との間に位置することで、前記流れ開口と、前記取付部分および前記負圧要素の間の空間との間の流路を閉止するように構成された位置に形成してもよい。調整時に、前記調整要素は前記円筒部の前記キャビティ内で摺動し、前記流れ開口を通過するので、前記負圧要素と前記取付部分との間の流路が開放されて空気が流入できる。
【００３９】
一実施形態においては、前記締結モジュールが、前記第１位置の方向に前記調整要素を付勢する弾性付勢要素を備える。この場合には、前記調整要素は、例えば、前記調整要素と前記円筒部との間に作用する圧縮ばねにより、前記第１位置に弾性的に保持される。調整が行われる間、前記調整要素は前記付勢要素の付勢作用に反して移動され、動作の終了後、前記調整要素は前記第１位置に自動的に戻る。
【００４０】
一実施形態においては、取付アセンブリが、前記第２のアセンブリにおける（例えば、平面的な取付面の形態の）前記取付部分に固定されるように構成されてもよい。前記取付アセンブリが取付部を有し、前記締結モジュールを、前記アセンブリを連結するために前記取付部と相互に作用するように配置することができる。前記取付アセンブリは、前記連結装置の保持性を向上させることができ、特に、前記締結モジュールと前記取付部分との間に作用する横方向の力を支持するためにも、特に、前記締結モジュールと前記取付部分とについて位置決めをすることができる。
【００４１】
例えば、前記調整要素が第１押し込み結合部（第１ポジティブロック部）を有していてもよく、前記取付部が第２押し込み結合部を有していてもよい。これらの押し込み結合部は、前記締結モジュールと前記取付部とが組み付けられている間、押し込み結合により係合するので、前記締結モジュールと前記取付部分とにおける相対的な横方向の移動が阻止される。この場合には、前記押し込み結合部により、特に、前記締結モジュールと前記取付部分とを組み付けることができる取付方向に対して横方向の移動を阻止することができるので、横方向に作用する力（すなわち、取付面の平面において作用する力）を受けて支持することができる。
【００４２】
付加的または代替的に、この取付アセンブリにより、前記締結モジュールについては、ねじり力も受けて支持することができるように回転位置が固定されていてもよい。このため、前記負圧要素または前記負圧要素に連結された要素（例えば、前記円筒部）が第１係合部を有していてもよく、（第２のアセンブリにおける）前記取付部が第２係合部を有していてもよい。これらの係合部は、前記締結モジュールと前記取付部とが組み付けられている間、係合して、前記取付部に対する前記負圧要素の回転動作を阻止する。
【００４３】
前記係合部は、例えば、一方側では、前記負圧要素または前記負圧要素に連結された要素における（好ましくは、円形の縁部において環状に延びる）歯状部によって、他方側では、前記取付部の歯状部によって構成されていてもよい。
【００４４】
一実施形態においては、前記締結モジュールが、前記アセンブリ同士の連結を磁気的に補助する第１磁石要素を有する。前記第１磁石要素が、例えば前記調整要素に配置されていてもよく、これにより、前記調整要素と共に移動される。代替的または付加的に、前記負圧要素または前記負圧要素に連結された要素（例えば、前記円筒部）にも磁石要素を設けてもよい。
【００４５】
対照的に、第２磁石要素が前記取付部分に固定されていてもよい。このような形式の第２磁石要素については、例えば、前記取付部に配置してもよく、前記取付部分に前記取付部と共に配置してもよい。一方側の前記締結モジュールの前記磁石要素および他方側の前記取付部分の前記磁石要素は、前記締結モジュールと前記取付部分とが組み付けられている間、磁気吸引力を与えるように作用するので、負圧の生成は磁気的に補助されて（好ましくは自動的に）行われる。組み付け時、前記締結モジュールおよび前記取付部分は、磁気的な相互作用によって磁気吸引されて互いに引っ張られるので、例えば、弾性吸着カップとして構成された負圧要素が、取付面として構成された前記取付部分に押し付けられることにより、前記負圧要素と前記取付部分との間が（ほぼ）真空になる。
【００４６】
前記第１磁石要素が前記調整要素に配置されている場合、前記調整要素を調整する際に、前記第１磁石要素は前記調整要素と共に移動されるので、前記取付部分の前記第２磁石要素から離れるように移動させることができ、磁気的な吸引力が弱められる。このように、前記調整要素の調整により、磁気的な保持力が少なくとも弱められ、簡単で、動かしやすく、かつ心地よい感触の分離動作に寄与し得る。
【００４７】
前記第１磁石要素および前記第２磁石要素は、それぞれ１つの永久磁石または複数の永久磁石の配列によって形成されていてもよく、磁気吸引作用によって相互に作用して、相異なる磁極を向け合うことによって前記連結装置を密着させてもよい。しかしながら、一方の磁石要素が１つの永久磁石または複数の永久磁石の配列によって形成され、他方の磁石要素が強磁性材料からなる磁性アーマチュアによって形成されている構成も考えられる。
【００４８】
一実施形態においては、前記締結モジュールは、連結装置が密着している状態で、前記締結モジュールが前記取付部分に取り付けられているとき、前記取付部分と関連付けられた少なくとも１つの対応する接触要素と電気的に接触する、１つ以上の電気的接触要素を有する。この場合には、前記連結装置により、アセンブリ同士を保持する機械的な連結に加えて、電気的な接続を生じさせることも可能であり、この点は、特に、例えば電子機器を関連するアセンブリに、前記連結装置により固定しようとする場合に有利となり得る。この場合、１つ以上の電気的接触要素を介して、例えば前記電子機器を充電するために例えば電力供給用の電流を流すことが可能であり、または、データ信号の交換用のデータ接続が提供されてもよい。
【００４９】
前記連結装置は、例えば、電子機器を関連するアセンブリに固定するように設計されている。例えば、前記連結装置を、カメラをヘルメット（例えば、スキー用ヘルメットまたは自転車用ヘルメット）に固定するために使用してもよい。また、他の実施形態においては、携帯電話、ナビゲーション装置、または車両内の他の電子通信もしくは情報装置を、例えば、フロントガラスまたはダッシュボードに固定するために、前記連結装置を使用してもよい。
【００５０】
また、前記目的は、電子機器（特に、カメラまたは携帯電話）であって、当該電子機器を他のアセンブリに着脱可能に連結するための連結装置を備える電子機器によっても達成される。前記連結装置が負圧要素を有する締結モジュールを備え、前記負圧要素が、前記電子機器を前記他のアセンブリに連結するために取付部分に取付方向で連結可能であり、かつ、連結状態において、前記締結モジュールおよび前記取付部分に前記取付方向とは反対方向に荷重がかかったとき、前記負圧要素と前記取付部分との間の負圧の作用により前記負圧要素および前記取付部分の連結が維持されるように、前記取付部分と相互に作用する。ここで、前記締結モジュールが、前記他のアセンブリに対する前記電子機器の連結を磁気的に補助する第１磁石要素を有する。
【００５１】
１つの有利な実施形態では、前記第１磁石要素が、前記負圧要素または前記締結モジュールにおいて前記負圧要素に連結されている部品に配置されている。また、第２磁石要素が前記取付部分に固定可能であってもよく、前記取付部分に対する前記締結モジュールの取り付けが磁気吸引によって補助されるように前記第１磁石要素と相互に作用する。
【００５２】
この場合には、前記電子機器が連結装置を有し、この連結装置により、前記電子機器を、他のアセンブリ（例えばヘルメット（特に、スキー用ヘルメットなどのスポーツ用ヘルメット）、または、例えば自転車もしくは自動車（例えば、自動車の車両内部のダッシュボード）などの車両）に対して、簡易にかつ耐荷重性を有するように連結することが可能である。ここで、前記他のアセンブリに対する前記電子機器の連結は前記連結装置によって実現され、前記連結装置の前記締結モジュールは、まず負圧作用により、次いで磁気的な相互作用により前記取付部分と相互に作用して、前記取付部分における前記連結状態に保持される。
【００５３】
負圧作用により、特に、衝撃荷重を受け流して消散させることが可能であり、前記他のアセンブリから前記電子機器が外れることがない。磁気的な相互作用により、前記連結装置は、特に、前記負圧要素と前記取付部分との間に負圧作用を自動的に発生させて、容易に密着することが可能である。
【００５４】
好ましくは、前記負圧要素が、少なくとも部分的に弾性を有するカップ要素を有し、または、このような形式のカップ要素からなる。この場合には、前記負圧要素は、前記取付部分に前記締結モジュールが取り付けられている間、弾性変形可能であり、前記負圧要素と前記取付部分との間の負圧作用を向上させて確実に保持する。
【００５５】
一実施形態においては、前記締結モジュールが、密着状態の連結装置で、前記締結モジュールが前記取付部分に取り付けられているとき、前記取付部分と関連付けられた少なくとも１つの対応する接触要素と電気的に接触する１つ以上の電気的接触要素を有する。この場合には、前記連結装置により、関連のアセンブリに対して前記電子機器を保持する機械的な連結に加えて、電気的な接続を生じさせることも可能である。よって、１つ以上の電気的接触要素を介して、例えば前記電子機器を充電するために、例えば電力供給用の電流を流すことが可能であり、またはデータ信号の交換用のデータ接続が提供されてもよい。
【００５６】
また、前記目的は、ヘルメット（特に、スポーツ用ヘルメットであり、例えばスキー用ヘルメット）であって、当該ヘルメットを他のアセンブリに着脱可能に連結するための連結装置を備えるヘルメットによっても達成される。前記連結装置が負圧要素を有する締結モジュールを備え、前記負圧要素が、前記ヘルメットを前記他のアセンブリに連結するために取付部分に取付方向で連結可能であり、かつ、連結状態において、前記締結モジュールおよび前記取付部分に前記取付方向とは反対方向に荷重がかかったとき、前記負圧要素と前記取付部分との間の負圧の作用により前記負圧要素および前記取付部分の連結が維持されるように、前記取付部分と相互に作用する。ここで、前記締結モジュールが、前記他のアセンブリに対する前記ヘルメットの連結を磁気的に補助する第１磁石要素を有する。
【００５７】
１つの有利な実施形態では、前記第１磁石要素が、前記負圧要素または前記締結モジュールにおいて前記負圧要素に連結されている部分に配置されている。また、第２磁石要素が前記取付部分に固定可能であってもよく、前記取付部分に対する前記締結モジュールの取り付けが磁気吸引によって補助されるように前記第１磁石要素と相互に作用する。
【００５８】
この場合には、前記ヘルメットは連結装置を有し、この連結装置により、他のアセンブリ（例えばカメラまたは携帯電話などの電子機器）に対する前記ヘルメットの簡易で耐荷重性を有する連結が可能である。前記他のアセンブリに対する前記ヘルメットの連結は前記連結装置によって実現され、この連結装置の前記締結モジュールは、まず負圧作用により、次いで磁気的な相互作用により前記取付部分と相互に作用するので、前記取付部分における前記連結状態に保持される。
【００５９】
負圧作用により、特に、衝撃荷重を受け流して消散することができ、前記他のアセンブリから前記ヘルメットが外れてしまわないようにする。磁気的な相互作用により、前記連結装置は、前記負圧要素と前記取付部分との間に負圧作用を自動的に発生させて、特に、容易に密着することが可能である。
【００６０】
好ましくは、前記負圧要素が、少なくとも部分的に弾性を有するカップ要素を有し、または、このような形式のカップ要素からなる。この場合には、前記負圧要素は、前記取付部分に前記締結モジュールが取り付けられている間、弾性変形可能であり、前記負圧要素と前記取付部分との間の負圧作用を向上させて確実に保持する。
【００６１】
一実施形態においては、前記締結モジュールが、密着状態の連結装置で、前記締結モジュールが前記取付部分に取り付けられているとき、前記取付部分と関連付けられた少なくとも１つの対応する接触要素と電気的に接触する１つ以上の電気的接触要素を有する。この場合には、前記連結装置により、関連のアセンブリに対する前記ヘルメットの機械的な連結に加えて、電気的な接続を生じさせることも可能である。よって、１つ以上の電気的接触要素を介して、例えば前記ヘルメットに配置された前記電子機器を充電するために、例えば電力供給用の電流を流すことが可能であり、またはデータ信号の交換用のデータ接続が提供されてもよい。
【００６２】
また、前記目的は、容器本体と、前記容器本体に配置可能な蓋と、前記容器本体に前記蓋を着脱可能に連結する連結装置とを備える容器（特に、飲料用ボトル）によっても達成される。前記連結装置が負圧要素を有する締結モジュールを備え、前記負圧要素が、前記容器本体に前記蓋を連結するために取付アセンブリに取付方向で連結可能であり、かつ、連結状態において、前記蓋および前記容器本体に前記取付方向とは反対方向に荷重がかかったとき、前記負圧要素と前記取付アセンブリとの間の負圧の作用により前記締結モジュールおよび前記取付アセンブリの連結が維持されるように、前記取付アセンブリと相互に作用する。
【００６３】
この場合には、前記蓋は連結装置により前記容器本体に連結され、前記連結状態において、前記蓋は、前記締結モジュールと前記取付アセンブリとの間の負圧作用により前記容器本体に保持される。これにより、前記容器本体に前記蓋を容易に取り付け、かつ閉止（密着）状態において前記蓋と前記容器本体とを強固に保持し良好な封止作用を与えることができる。
【００６４】
ここで、好ましくは、前記締結モジュールが第１磁石要素を有し、前記取付アセンブリが第２磁石要素を有する。前記第１磁石要素および第２磁石要素は、前記容器本体に対する前記蓋の連結を磁気的に補助するために相互に作用し、前記蓋および前記取付アセンブリが、前記容器を閉止するために互いに磁気的に引っ張られることで、前記蓋および前記容器本体との間の連結が生じる。前記連結状態において、前記負圧要素および前記取付アセンブリとの間に負圧作用も生じるので、前記連結状態において、前記蓋は、まず負圧作用により、次いで磁気的に前記容器本体に保持される。
【００６５】
一実施形態においては、前記締結モジュールが、前記容器本体から前記蓋を取り外すために、前記取付アセンブリに対して開放（分離）方向に移動可能である。例えば、前記締結モジュールは、回転軸心を中心として前記取付アセンブリに対して回転可能であってもよい。
【００６６】
ここで、前記容器本体から前記蓋（カバー）を取り外すための前記連結装置の分離は、複数の第１磁石要素を有する前記締結モジュールおよび複数の第２磁石要素を有する前記取付アセンブリにより補助されてもよい。ここで、前記第１磁石要素および第２磁石要素は、例えば、まず前記締結モジュールにおいて、次いで前記取付アセンブリにおいて、前記回転軸心を中心として均一に分散されるように配置されていてもよく、例えば、１つの第１磁石要素のＮ極が前記取付アセンブリの方向を向き、隣接する１つの第１磁石要素のＳ極が前記取付アセンブリの方向を向くように、交互に極性を有していてもよい。前記連結状態において、前記締結モジュールの前記第１磁石要素および前記取付アセンブリの前記第２磁石要素は、これらの磁石要素間に磁気吸引が生じるよう、相異なる極が向かい合うように配置されている。しかしながら、前記締結モジュールを前記開放方向に沿って前記取付アセンブリに対して移動させることにより、前記磁石要素の同じ極が相互に作用するようになるので、前記磁石要素間に磁気反発作用が生じる。前記容器本体から前記蓋を容易に取り外すことができるように、この磁気反発作用が、前記負圧要素と前記取付アセンブリとの間の負圧作用を、例えば、低減し、相殺し、さらには上回ってもよい。
【００６７】
好ましくは、前記負圧要素が、少なくとも部分的に弾性を有するカップ要素を有し、または、このような形式のカップ要素からなる。この場合には、前記負圧要素は、前記取付アセンブリに前記締結モジュールが取り付けられている間、弾性変形可能であり、前記負圧要素と前記取付アセンブリとの間の負圧作用を向上させて確実に保持する。
【００６８】
一実施形態においては、前記締結モジュールが前記蓋の構成部分であり、前記取付アセンブリが前記容器本体に設けられ、例えば、前記容器本体に固定して連結されている。この場合には、前記蓋は、そこに配置された前記締結モジュールによって、前記容器を閉止するために前記容器本体の前記取付アセンブリに取り付けることができる。
【００６９】
以下において、本発明の根底にある着想を、図面に示された例示的な実施形態に基づいてより詳細に説明する。
【図面の簡単な説明】
【００７０】
【図１Ａ】カメラをヘルメットに連結する例示的な実施形態の連結装置の分解図である。
【図１Ｂ】別の視点から見たときの図１Ａの分解図である。
【図２Ａ】ヘルメットにおける取付面からなる取付部分への締結モジュールの装着時における連結装置の図である。
【図２Ｂ】その状態（the arrangement ）の側面図である。
【図２Ｃ】図２Ｂに示される直線Ａ−Ａに沿った断面図である。
【図３Ａ】締結モジュールが取付部分に取り付けられている状態の連結装置の図である。
【図３Ｂ】その状態の側面図である。
【図３Ｃ】図３Ｂに示される直線Ａ−Ａに沿った断面図である。
【図４Ａ】分離動作時における連結装置の図である。
【図４Ｂ】その状態の側面図である。
【図４Ｃ】図４Ｂに示される直線Ａ−Ａに沿った断面図である。
【図５Ａ】さらなる分離動作時における連結装置の図である。
【図５Ｂ】その状態の側面図である。
【図５Ｃ】図５Ｂに示される直線Ａ−Ａに沿った断面図である。
【図６Ａ】連結装置が分離されている状態の図である。
【図６Ｂ】その状態の側面図である。
【図６Ｃ】図６Ｂに示される直線Ａ−Ａに沿った断面図である。
【図７Ａ】携帯電話の固定に使用した場合の連結装置の図である。
【図７Ｂ】図７Ａに示される状態の側面図である。
【図７Ｃ】図７Ｂに示される直線Ｂ−Ｂに沿った断面図である。
【図８Ａ】２つのアセンブリを連結する（例えば、携帯電話の形態の電子機器を他のアセンブリ、例えば車両のダッシュボードに連結する）さらなる例示的な実施形態の連結装置の分解図である。
【図８Ｂ】同連結装置の別の分解図である。
【図９Ａ】締結モジュールが取付部分に取り付けられている状態の連結装置の図である。
【図９Ｂ】図９Ａに示される状態の側面図である。
【図９Ｃ】図９Ｂに示される直線Ａ−Ａに沿った断面図である。
【図１０Ａ】取付部分から締結モジュールを外すための分離動作時における連結装置の図である。
【図１０Ｂ】図１０Ａに示される状態の側面図である。
【図１０Ｃ】図１０Ｂに示される直線Ｃ−Ｃに沿った断面図である。
【図１１Ａ】さらなる例示的な実施形態の連結装置の分解図である。
【図１１Ｂ】同連結装置の別の分解図である。
【図１２Ａ】締結モジュールが取付部分に取り付けられている状態の締結装置の図である。
【図１２Ｂ】図１２Ａに示される状態の側面図である。
【図１２Ｃ】図１２Ｂに示される直線Ａ−Ａに沿った断面図である。
【図１３Ａ】締結モジュールを取付部分から外すための分離動作時における連結装置の図である。
【図１３Ｂ】図１３Ａに示される状態の側面図である。
【図１３Ｃ】図１３Ｂに示される直線Ｂ−Ｂに沿った断面図である。
【図１４】他の例示的な実施形態の連結装置の模式図である。
【図１５Ａ】蓋を容器本体に連結するための、容器本体における連結装置の例示的な実施形態の分解図である。
【図１５Ｂ】図１５Ａに示される状態の別の分解図である。
【図１６Ａ】蓋の装着時における容器本体の図である。
【図１６Ｂ】図１６Ａに示される状態の側面図である。
【図１６Ｃ】図１６Ｂに示される直線Ｆ−Ｆに沿った断面図である。
【図１７Ａ】蓋が取り付けられた状態の容器本体の図である。
【図１７Ｂ】図１７Ａに示される状態の側面図である。
【図１７Ｃ】図１７Ｂに示される直線Ｃ−Ｃに沿った断面図である。
【図１８Ａ】開放動作時において、蓋が配置された状態の容器本体の図である。
【図１８Ｂ】図１８Ａに示される状態の側面図である。
【図１８Ｃ】図１８Ｂに示される直線Ｇ−Ｇに沿った断面図である。
【図１９Ａ】蓋が取り除かれた状態の容器本体の図である。
【図１９Ｂ】図１９Ａに示される状態の側面図である。
【図１９Ｃ】図１９Ｂに示される直線Ｅ−Ｅに沿った断面図である。
【図２０Ａ】締結モジュールを取付部分に取り付ける前のさらなる例示的な実施形態の連結装置の図である。
【図２０Ｂ】図２０Ａに示される状態の側面図である。
【図２０Ｃ】図２０Ｂに示される直線Ｂ−Ｂに沿った断面図である。
【図２１Ａ】締結モジュールが取付部分に取り付けられている状態の連結装置の図である。
【図２１Ｂ】図２１Ａに示される状態の側面図である。
【図２１Ｃ】図２１Ｂに示される直線Ａ−Ａに沿った断面図である。
【図２２Ａ】取付アセンブリから締結モジュールが取り外された状態における、図１Ａ，図１Ｂから図６Ａ〜図６Ｃに示される例示的な実施形態において、締結モジュールおよび取付アセンブリに電気的接触要素を備える実施形態の図である。
【図２２Ｂ】図２２Ａに示される状態の側面図である。
【図２２Ｃ】図２２Ｂに示される直線Ａ−Ａに沿った断面図である。
【図２３Ａ】取付アセンブリに対する締結モジュールの装着時の連結装置の図である。
【図２３Ｂ】図２３Ａに示される状態の側面図である。
【図２３Ｃ】図２３Ｂに示される直線Ｂ−Ｂに沿った断面図である。
【図２４Ａ】締結モジュールが取付アセンブリに取り付けられている状態の連結装置の図である。
【図２４Ｂ】図２４Ａに示される状態の側面図である。
【図２４Ｃ】図２４Ｂに示される直線Ｅ−Ｅに沿った断面図である。
【発明を実施するための形態】
【００７１】
図１Ａ，図１Ｂから図６Ａ〜図６Ｃには、第１の例示的な実施形態の連結装置１が示されており、この連結装置は、図示された例示的な実施形態において、カメラ４の形態の電子機器をヘルメット５（例えば、スキー用または自転車用ヘルメット）に固定するために用いられる。連結装置１により、カメラ４はヘルメット５の取付面５０に着脱可能に連結することができるので、例えば、ヘルメット５の使用中に動画を撮影することが可能である。
【００７２】
連結装置１は、ヘルメット５の取付アセンブリ３に取り付けることができる締結モジュール２を備える。締結モジュール２は、作用し合う複数の部品からなり、カメラ４に固定されている。カメラ４に対する締結モジュール２の連結は、例えば、様々な電子機器に連結装置１を使用できるよう、（同様に）着脱可能であってもよい。
【００７３】
締結モジュール２は円筒状のケーシング部２０を有し、このケーシング部は、ケーシング部２０の中央に収容された調整要素２３に、固定点２０１により固定して連結されている。
【００７４】
調整要素２３は、シャンク（軸部）２３０と、その表面に設けられた固定点２３１とを有し、前記固定点により、調整要素２３はケーシング部２０に固定されている。調整要素２３は、ケーシング部２０の底部から離れた側の端部に、シャンク２３０から径方向外側に突出する頭部２３２を有する。
【００７５】
ケーシング部２０と、ケーシング部２０に回転不能に（rotationally fixedly）連結された調整要素２３とは、カメラ４に固定して連結されている。
【００７６】
例えば、図２Ｃの断面図から分かるように、調整要素２３は、その頭部２３２が円筒部２５の内面２５０で摺動可能に案内されるように、円筒部２５の円筒キャビティ２５３内に配置されている。円形断面を有する円筒状である円筒部２５は、調整要素２３がシャンク２３０により係合する開口２１２を有する案内部２１に固定して連結されている。カラー２１３が、ケーシング部２０の底部に面する案内部２１の底部から軸方向に突出している。円筒部２５は、前記カラーに係合し、そのカラーにより案内部２１に（例えば、溶接または接着により）固定して連結されている。
【００７７】
同様に、案内部２１は、円筒状の基本形状を有し、案内部２１に収容された円筒部２５の周囲で円周方向に延在する円筒状の側面２１０をもち、円筒部２５の径方向外側に設けられている。側面２１０には、複数の平行で螺旋状の案内トラック２１１が形成されている。これらの案内トラックは互いに円周方向にオフセットし、側面２１０におけるスロット（溝）として形成されており、これらの案内トラックに、ケーシング部２０における（ケーシング部２０の側面２００から径方向内側に突出する）スタッドの形態の案内要素２０２が係合する。ケーシング部２０の案内要素２０２が案内部２１の案内トラック２１１に係合した結果、ケーシング部２０（およびケーシング部２０を介して調整要素２３）が、案内部２１において回転軸心Ｒを中心として嵌合状態で（positively）案内されることにより、ケーシング部２０が回転軸心Ｒを中心として回転したときに、ケーシング部２０および調整要素２３から構成される構造ユニットが螺旋状の案内トラック２１１に従って移動し、調整要素２３が円筒部２５内を軸方向に移動する。
【００７８】
円筒部２５は、負圧要素２７のカラー２７０に係合し、かつ円周方向の締結ばね（bracing spring）２６により負圧要素２７と共に締結されていることにより、カップ要素２７からなる負圧要素２７に固定して連結されている。これにより、負圧要素２７は、円筒部２０に固定して、特に液密に、連結されている。
【００７９】
調整要素２３は、案内部２１に対して、したがって円筒部２５に対して図２Ｃに示される初期位置の方向に付勢要素によって付勢されている。この付勢手段はシャンク２３０の周囲に係合し、圧縮ばね２２の形態を有する。したがって、前記初期位置において、調整要素２３の頭部２３２は円筒部２５の端部に当接し、この端部は案内部２１から離れた側にある。当該位置において、案内部２１はケーシング部２０に最大限に格納されている。
【００８０】
ヘルメット５の取付面５０は、カップ要素の形態の負圧要素２７の取り付けに用いられる。ヘルメット５の取付面５０には、取付部３０と、取付部３０の収容開口３０２に収容される磁石要素３１とを有する取付アセンブリ３が配置されている。締結モジュール２は、カメラ４をヘルメット５に連結するために取付アセンブリ３に取り付けられている。
【００８１】
締結モジュール２は調整要素２３の収容開口２３４に収容された磁石要素２４を有し、その磁石要素は、締結モジュール２が取付面５０に取り付けられている間、（カメラ４がその上に設けられた）締結モジュール２がヘルメット５の取付アセンブリ３に向かって磁気的に吸引されるように、取付アセンブリ３の磁石要素３１と磁気吸引作用により相互に作用する。調整要素２３において、ケーシング部２０から離れた側にある頭部２３２の側に円錐状凹部の形態の押し込み結合部２３３が形成されており、この円錐状凹部は、締結モジュール２が取り付けられている間、締結モジュール２がヘルメット５の取付アセンブリ３に所定のとおり取り付けられるように、取付部３０における円錐状凸部の形態の関連する押し込み結合部３００と係合する。
【００８２】
押し込み結合部２３３，３００間の押し込み結合により、好適にも、連結装置１が密着状態にある場合に、取付面５０の平面における横方向の力に対応することが可能である。さらに、この押し込み結合により、締結モジュール２はセンタリングされた状態で取付アセンブリ３と係合する。
【００８３】
取付面５０に対する締結モジュール２の取り付けの間、図２Ａ〜図２Ｃから図３Ａ〜図３Ｃへの変化から分かるように、負圧要素２７は、円筒部２５から径方向に突出するカップ状の縁部２７２において弾性変形されて、負圧要素２７と取付面５０との間に形成された空間Ｂから空気が抜けるので、締結モジュール２に荷重がかかった場合に、吸引作用を有する負圧が負圧要素２７と取付面５０との間に作用する。このようにして、衝撃荷重を受けた場合であってもカメラ４がヘルメット５にしっかり確実に保持されるように、ヘルメットの使用時における連結装置１に対するインパルス状の衝撃力を受けて消散させることができる。
【００８４】
円筒部２５における、取付部３０に面する環状の縁には、歯状部の形態の係合部２５２が形成されており、図２Ｃおよび図３Ｃならびに図１Ａおよび図１Ｂを共に見ると分かるように、この係合部は、取付アセンブリ３に締結モジュール２が取り付けられている間、取付部３０において歯状部の形態を有する環状の係合部３０１と押し込み結合により係合する。これにより、円筒部２５ならびにこの円筒部を介した案内部２１および負圧要素２７が、取付アセンブリ３に、したがってヘルメット５に回転不能に取り付けられることで、負圧要素２７に作用するねじり力を受け流して消散させることができる。
【００８５】
したがって、この連結状態において、カメラ４は、連結装置１によりヘルメット５に、耐荷重性を有するように、固定されている。
【００８６】
連結装置１を分離するためには、図４Ａから図４Ｃに示されているように、カメラ４と、このカメラを介したケーシング部２０および当該ケーシング部に連結された調整要素２３とが、円筒部２５に対して回転軸心Ｒを中心として回転方向Ｄに回転される。円筒部２５および取付部３０における係合部２５２，３０１の係合により、この回転動作の間に円筒部２３が共に回転しないようにすることができ、これにより、調整要素２３が円筒部２５の円筒キャビティ２５３内で移動される。
【００８７】
ケーシング部２０の回転および案内部２１におけるケーシング部２０の案内により、調整要素２３は円筒部２５内で回転軸心Ｒに沿って軸方向に調整されることで、図４Ｃから分かるように、取付部３０から離れるように移動される。これにより、まず、２つの磁石要素２４，３１が離れることで、磁石要素２４，３１間の磁気吸引力が弱まるという効果が得られる。次に、頭部２３２がキャビティ２５３内を摺動し、円筒部２５の壁部の流れ開口２５１を通過することで、空気流Ｆが流れ開口２５１を介して空間Ｂに流入することができ、これにより空間Ｂ内の負圧が相殺されるという効果も得られる。これにより負圧要素２７によって与えられる保持力がなくなるので、図５Ａから図５Ｃに示されているように、負圧要素２７の縁部２７２が取付面５０から持ち上げられ、図６Ａから図６Ｃに示されているように、締結モジュール２をカメラ４と共に取付面５０から取り外すことができる。
【００８８】
案内部２１においてケーシング部２０が螺旋状に案内されることにより、調整要素２３の調整は容易に行うことができる。したがって、連結装置１の取り外しをユーザーにとって心地よい感触にしつつ、連結状態において連結装置１の耐荷重性を高くすることができる。
【００８９】
締結モジュール２が取付アセンブリ３から分離された場合、圧縮ばねからなる付勢要素２２の付勢作用により、調整要素２３は初期位置に戻り、円筒部２５および調整要素２３は相対的に回転した状態となる。よって、締結モジュール２は、所望したときに取付アセンブリ３に再度取り付けることが可能である。
【００９０】
円筒部２５のキャビティ２５３に（実質的に）液密に当接する頭部２３２により、連結装置１が連結状態にある場合には、流れ開口２５１と、負圧要素２７および取付面５０の間に形成された空間Ｂとの間が液密に分離される。キャビティ２５３内で調整要素２３を調整することにより、前記流れ開口２５１が空間Ｂと流体連通するので、空間Ｂに空気が流入することができ、連結装置１を分離させることができる。
【００９１】
負圧要素２７と取付面５０との間の負圧は、特に、短時間に衝撃的な荷重がかかった場合に作用する。締結モジュール２に荷重（例えば、引張荷重）が加わった結果、空間Ｂが拡大する方向に力が作用することで、空間Ｂにおいて負圧が生じる。負圧要素２７がシール作用を与えるように取付面５０と面で接触することにより、特に、衝撃的に作用する荷重に有効に対応することが可能である。
【００９２】
締結モジュール２が取付アセンブリ３に対して磁気吸引作用によっても保持されるように、磁石要素２４，３１による付加的な保持が与えられている。ここで、負圧要素２７が取付面５０に押し付けられた状態で締結モジュール２と取付アセンブリ３とが組み付けられる際に、磁石要素２４，３１により付加的な補助が与えられる。
【００９３】
負圧要素２７と取付面５０との間に生じる負圧が、特に、衝撃的な荷重を受けた場合に作用することから、より長い時間継続するより大きな荷重を受けた場合に、連結装置１によって非常時の分離がなされるようにすることも可能である。したがって、例えば、（所定の）閾値力を超えた場合に、負圧要素２７が取付面５０から外れることにより、カメラ４をヘルメット５から分離することが可能である。このために、負圧要素２７および負圧要素２７において与えられる負圧力を適宜設定することができる。
【００９４】
図７Ａから図７Ｃに示されている他の例示的な実施形態において、連結装置１は、携帯電話５または他の電子機器（例えば、ナビゲーション装置）を、例えば車両（例えば、車両のダッシュボードまたはフロントガラス）に固定するために用いられる。この場合、取付アセンブリ３は、例えば、携帯電話５または前記他の電子機器において取付面５０となるケーシング面に配置してもよく、締結モジュール２は、例えば、締結モジュール２が少なくとも部分的にダッシュボードに一体化され、したがって突出しないように（recessed）車両に設置される。
【００９５】
それ以外の点では、図７Ａから図７Ｃに記載されている例示的な実施形態は上述したものと同一であり、上述した説明の全体を引用する。
【００９６】
図８Ａ，図８Ｂから図１０Ａ〜図１０Ｃに示されている例示的な実施形態の連結装置１において、締結モジュール２は、電子機器５または他のアセンブリにおける取付面の形態の取付部分５０に取り付けられるように構成されている。
【００９７】
締結モジュール２は負圧要素２７を備え、前記負圧要素は可撓性縁部２７２を有し、かつ、負圧作用を与えるために弾性変形させた状態で、可撓性縁部２７２によりアセンブリ５における取付面の形態の取付部分５０に連結されるように構成されている。可撓性縁部２７２は、カップ要素として本体部２７３の周囲に、円周方向に延在し、この本体部２７３には流れ開口２７４が形成され、フラップ要素の形態の調整要素２３が軸受要素２７５および軸要素２７６により関節で回動自在に取り付けられている。
【００９８】
また、軸要素２７６には作動要素２８が設けられており、この作動要素は、フラップ要素の形態の調整要素２３と相互に作用して、取付部分５０から締結モジュール２を取り外すために調整要素２３を作動させる。
【００９９】
例えば、図９Ａおよび図９Ｃから分かるように、作動要素２８は、引張ばねの形態のばね要素２８０により、図９Ａ〜図９Ｃに示される初期位置の方向にばねにより付勢されている。さらに、調整要素２３は、圧縮ばねの形態の付勢要素２２により、図９Ａ〜図９Ｃに示される密着位置をとるようにばねにより付勢されている。前記密着位置において、調整要素２３は、流れ開口２７４に係合するスタッドの形態の閉止要素２３５により、負圧要素２７の本体部２７３の流れ開口２７４を液密に閉止することで、特に負圧要素２７と取付部分５０との間の流れ開口２７４を空気が流れないようにしている。
【０１００】
図９Ａ〜図９Ｃに示された位置において、締結モジュール２はアセンブリ５の取付部分５０に取り付けられており、負圧要素２７と取付部分５０との間には負圧作用が生じている。この負圧作用により締結モジュール２は取付部分５０に保持されるので、締結モジュール２は取付部分５０から容易に取り外すことができず、少なくとも、負圧作用を解消しなければ取り外すことができない。
【０１０１】
作動要素２８には、例えば、ねじ穴の形態の締結点２８３が設けられており、この締結点により、作動要素２８は関連する他のアセンブリに連結可能である。例えば、これにより、作動要素２８を車両（例えば、自動車のダッシュボード）に固定することで、アセンブリ５（例えば、携帯電話などの形態の電子機器）を車両に（着脱可能に）固定することが可能である。
【０１０２】
取付部分５０から締結モジュール２を取り外すために、図１０Ａ〜図１０Ｃに示されているとおり、作動要素２８を作動させることによって調整要素２３が調整されて流れ開口２７４が開放され、流れ開口２７４を介して負圧要素２７と取付部分５０との間を空気流が流れることができる。これにより、負圧要素２７と取付部分５０との間の負圧作用が解消されるので、締結モジュール２と取付部分５０との間において保持力が作用しなくなる。
【０１０３】
作動させるために、作動要素２８は、図１０Ａ〜図１０Ｃから分かるように、軸要素２７６を中心として負圧要素２７に対して傾動される。その結果、作動要素２８は、上端２８２から離れた部分２８１によって調整要素２３に作用し、軸要素２７６を中心として調整要素２３を同様に回動させる。これにより、調整要素２３は、作動要素２８を介して間接的にその閉位置から移動されて流れ開口２７４を開放するので、締結モジュール２を取付部分５０から取り外すことができる。
【０１０４】
作動要素２８を作動させた場合、図１０Ａ〜図１０Ｃから分かるように、ばね要素２８０は引張荷重を受ける。さらに、付勢要素２２は圧縮荷重を受ける。そして、作動が終了すると、作動要素２８および調整要素２３は、ばね作用により、図９Ａ〜図９Ｃに示されるそれぞれの初期位置に戻る。これにより、作動要素２８が作動されていない場合には流れ開口２７４が閉止されているので、締結モジュール２を再び連結するために、取付部分５０に負圧要素２７を取り付けることができる。
【０１０５】
図８Ａ，図８Ｂから図１０Ａ〜図１０Ｃに示される例示的な実施形態において、取付部分５０に対する締結モジュール２の取り付けを磁気的に補助するために、締結モジュール２と、取付部分５０とに磁石要素が配置されてもよい。しかしながら、必ずしもこのような構成にしなくてもよい。また、連結装置１は非磁性設計のものであってもよく、負圧作用のみによって取付部分５０に締結モジュール２を保持してもよい。
【０１０６】
図１１Ａ，図１１Ｂから図１３Ａ〜図１３Ｃに示される例示的な実施形態では、図８Ａ，図８Ｂから図１０Ａ〜図１０Ｃに示される例示的な実施形態とは対照的に、調整要素２３が、連結装置１の締結モジュール２の負圧要素２７に着脱可能に設けられている。ここでも、負圧要素２７は、カップ要素の形態の、可撓性があって弾性変形可能な縁部２７２を有する。負圧要素２７は、この縁部により、取付位置（図１２Ａ〜図１２Ｃ）において負圧作用により取付部分５０に締結モジュール２を保持するために、アセンブリ５の平面状の取付部分５０に取り付けることができる。
【０１０７】
この例示的な実施形態において、調整要素２３が案内片２３６によって負圧要素２７の本体部２７３における対応の案内装置２７７に係合することにより、調整要素２３は、負圧要素２７の本体部２７３に案内されて、取付方向Ａに対して横方向に延びる案内方向に沿って取り外し可能である。
【０１０８】
図１２Ａ〜図１２Ｃに示される初期位置において、調整要素２３がスタッドの形態の閉止要素２３５によって本体部２７３の流れ開口２７４を閉止するので、締結モジュール２が取付部分５０に取り付けられたとき、取付部分５０において締結モジュール２を保持するように負圧要素２７と取付部分５０との間に負圧作用が生じる。特に、流れ開口２７４が閉止されている場合、流れ開口２７４を介して負圧要素２７と取付部分５０との間に空気が流入することが防止される。
【０１０９】
締結モジュール２を取付部分５０から取り外すために、調整要素２３を、図１３Ａ〜図１３Ｃに示されているように、負圧要素２７の本体部２７３において取付方向Ａに対して横方向に移動させることができる。これにより、調整要素２３および負圧要素２７の間で作用する圧縮ばねの形態の付勢要素が力を受けた状態に置かれ、流れ開口２７４が開放されることにより、負圧要素２７と取付部分５０との間を空気流が流れることができるので、負圧要素２７と取付部分５０との間の負圧作用が解消される。
【０１１０】
作動の終了後、調整要素２３は付勢要素２７の付勢作用により、図１２Ａ〜図１２Ｃに示される初期位置に自動的に戻る。これにより、この初期位置において、調整要素２３が作動されていないときには流れ開口２７４が再び閉止されるので、締結モジュール２は、アセンブリ５の関連の取付部分５０に再度取り付けることができる。
【０１１１】
調整要素２３は固定点２８３を有し、この固定点により、関連のアセンブリを調整要素２３に固定することができる。そして、調整要素２３に連結されたアセンブリと、締結モジュール２が取り付けられるアセンブリ５との間で相対移動が生じたときに、調整要素２３が作動される。例えば、ユーザーは、アセンブリ５に作用することで、負圧要素２７に対して調整要素２３を移動させ、締結モジュール２からアセンブリ５を取り外すことができる。
【０１１２】
また、アセンブリ５は、例えば、携帯電話などの形態の電子機器であってもよい。これに対して、調整要素２３を、例えば、車両（例えば、自動車のダッシュボード）に固定することで、アセンブリ５を連結装置１によって当該車両に着脱可能に固定してもよい。
【０１１３】
上述した例示的な実施形態では、前記負圧要素は弾性カップ要素の形態である。しかし、必ずしもこのような構成にしなくてもよい。基本的には、負圧を生じさせることによって保持力を提供するように、相互に作用する剛性の非弾性要素とすることも可能である。
【０１１４】
このような構成が、一例として、図１４における例示的な実施形態の模式図に示されている。
【０１１５】
連結装置１は、アセンブリ５に取り付けることができる締結モジュール２を有する。例えば、連結装置１の締結モジュール２（剛性があり非弾性のもの）を、アセンブリ５に形成された開口５００の形態の取付部分５０に正確に嵌合するように挿入してもよく、これにより、円筒部２３が開口５００内に実質的に液密に収容される。締結モジュール２に荷重がかかったとき、円筒部２５と開口５００の壁との間に負圧が生じることにより、締結モジュール２はアセンブリ５に固定される。円筒部２５内で調整可能な調整要素２３は、連結装置１を取り外す目的で、円筒部２５の流れ開口２５１と、円筒部２５および開口５００の壁の間に形成される空間との間の流路を開放するために上述したのと全く同様の方法で調整することができ、それによって、前記空間に空気を流入させて、開口５００から円筒部２５を取り外すことが可能である。
【０１１６】
円筒部２５は、開口５００に正確に嵌合した状態で挿入され、円筒部２５と開口５００の壁との境界が液密になるように構成してもよい。ここで、円筒部２５は、円筒状の外形を有するものであってもよく、他の外形（例えば、多角形の外形または任意の所望する他の断面形状）を有していてもよい。
【０１１７】
加えて、１つ以上の（シールリップなどの形態の）環状のシールリングを、例えば、円筒部２５の外側に設けることも可能であり、このシールリングは円筒部２５と開口５００の壁との間隙を液密に封止する。
【０１１８】
図１５Ａ，図１５Ｂから図１９Ａ〜１９Ｃには、飲料用ボトルの形態の容器の例示的な実施形態が示されており、この場合、アセンブリ５の容器本体５１は、容器本体５１を閉止するために蓋２９に連結することができる。蓋２９は連結装置１の締結モジュール２の構成部分であり、前記連結装置により、蓋２９を容器本体５１にしっかりと、でも着脱可能に連結することができる。
【０１１９】
連結装置１は、締結モジュール２と、前記締結モジュールの構成部分である蓋２９と、ねじ部５０１によって容器本体５１に連結されるように構成された取付部３０を有する取付アセンブリ３とからなる。取付部３０は、中央開口を有する凸状のスタッドピースの形態の押し込み結合部３００を有し、例えば、蓋２９が外されたときに、ユーザーはこの中央開口を介して飲料用ボトルから飲み物を飲むことができる。
【０１２０】
締結モジュール２の蓋２９は、可撓性を有する円周方向縁部２７２と共に負圧要素２７を形成し、この負圧要素は、取付アセンブリ３の取付部３０に対して取付方向Ａに取り付け可能であり、取付位置（図１７Ａ〜図１７Ｃ）において、負圧作用を受けた状態で取付部３０に対して保持される。蓋２９の内部には係合開口２５６が形成されており、締結モジュール２が取り付けられたとき、この係合開口に取付部３０の押し込み結合部３００が係合する。係合開口２５６の内側面にはＯリングの形態のシール２５４が配置されており、蓋２９と押し込み結合部３００との間隙を液密に、特に、湿気、水分が漏れないように湿密に閉止しているので、蓋２９が容器本体５１に取り付けられたとき、容器５０から液体が漏れない。
【０１２１】
蓋２１に面する表面３０４において、取付部３０は収容開口３０２を有し、この収容開口に磁石要素３１が挿入され、取付部３０に連結される。同様に、蓋２９の内側には収容開口２５５が形成されており、この収容開口に磁石要素２４が挿入されて、蓋２９に保持される。
【０１２２】
一方側にある取付部３０の磁石要素３１と、他方側にある蓋２９の磁石要素２４とは、取付方向Ａを中心とする円周方向から見たとき、同様に均一に分散され、かつ交互に異なる極性を有している。つまり、取付部３０の１つの磁石要素３１のＮ極Ｎが蓋２９の方向を向き、隣接する各磁石要素３１のＳ極Ｓが蓋２９の方向を向き、その次に再びＮ極Ｎが続いている。同様に、蓋２９の１つの磁石要素２４のＳ極Ｓが取付部３０の方向を向き、隣接する各磁石要素２４のＮ極Ｎが取付部３０の方向を向き、その次に再びＳ極Ｓが続いている。
【０１２３】
飲料用ボトルを閉止するために取付部３０に蓋２９が取り付けられている間、磁石要素２４，３１の相異なる極が引き付け合うので、蓋２９が取付部３０に向かって引っ張られ、押し込み結合部３００が係合開口２５６と係合して、可撓性縁部２７２が弾性変形する過程で蓋２９と取付部３０との間に負圧作用が生じる（図１６Ａ〜図１６Ｃから、図１７Ａ〜図１７Ｃに示される取付位置への変化を参照）。したがって、取付位置（図１７Ａ〜図１７Ｃ）において、蓋２９が、磁石要素２４，３１間の磁気吸引により、また負圧作用により、取付部３０に保持される。
【０１２４】
取付部３０から、すなわち容器本体５１から蓋２９を取り外すために、蓋２９を開放方向Ｏに沿って回転させることができる。この開放方向は、蓋２９が、係合開口２５６への押し込み結合部３００の係合によって定められる回転軸心Ｒを中心として取付部３０に対して回転可能である方向である。これにより、同じ極の磁石要素２４，３１が近づけられるので、磁石要素２４，３１の間に磁気反発作用が生じる。この磁気反発作用は、蓋２９と取付部３０との間の負圧作用を弱めまたは上回ってもよく、これにより、取付方向Ａとは反対の方向に蓋２９を取付部３０から容易に取り外し、この飲料用ボトルを開けることができる。この点は、図１８Ａ〜図１８Ｃから図１９Ａ〜図１９Ｃの変化として示されている。この回転の間、流れ開口も開放されてもよい。
【０１２５】
上述した形式の容器５に対する蓋２９の連結は、飲料用ボトルの場合（例えば、自転車における使用）のみでなく、蓋を用いて閉止される全く異なる任意の容器にも用いることができる。
【０１２６】
図２０Ａ〜図２０Ｃおよび図２１Ａ〜図２１Ｃには、アセンブリ５に連結された取付アセンブリ３の取付部３０に取付方向Ａに取り付け可能な負圧要素２７を有する締結モジュール２を備える連結装置１の例示的な実施形態が示されている。連結装置１によりアセンブリ５（例えば、携帯電話の形態の電子機器）を他のアセンブリに配置することができるように、負圧要素２７に他のアセンブリが連結されてもよい。
【０１２７】
負圧要素２７は、カップ要素の形態の可撓性縁部２７２を有する。さらに、本体部２７３には磁石要素２４が設けられており、この磁石要素は、取付アセンブリ３に締結モジュール２が取り付けられている間、取付アセンブリ３の取付部３０における磁石要素３１と磁気吸引作用によって相互に作用して、取付アセンブリ３に対する締結モジュール２の取り付けを磁気的に補助する。
【０１２８】
取付位置（図２１Ａ〜図２１Ｃ）において、可撓性縁部２７２の弾性変形および負圧要素２７と取付部分５０との間が（ほぼ）真空になることにより、締結モジュール２の負圧要素２７と、取付アセンブリ３が配置されているアセンブリ５の取付部分５０との間に負圧作用が生じる。
【０１２９】
取付アセンブリ３からの締結モジュール２の取り外しは、この例示的な実施形態において、締結モジュール２が負圧要素２７において引っ張られることまたは傾動されることで取付アセンブリ３から取り外されることによって、実現される。
【０１３０】
図示された例示的な実施形態において、締結モジュール２には電気的接触要素６が設けられており、前記接触要素は、締結モジュール２が取付アセンブリ３に取り付けられたとき、図２０Ｃを図２１Ｃと共に見ると分かるように、取付アセンブリ３において関連付けられた対応の接触要素７と電気的に接触する。したがって、接触要素６および対応の接触要素７により、例えば、電力供給またはデータ接続を提供するために、取付アセンブリ３０に関連付けられたアセンブリ５と、締結モジュール２に関連付けられたアセンブリとの間に、電気的接続を形成することが可能である。
【０１３１】
図示された例示的な実施形態において、電気的接触要素６は接触ピン６１を有し、これらの接触ピンは、ばね要素６２によって負圧要素２７の本体部２７３に弾性支持され、電線６０に接続されている。これに対して、対応の接触要素７は、例えば、取付部３０において負圧要素２７に面する頭部側の接触パッドなどとして形成されていてもよく、これにより、締結モジュール２が取付アセンブリ３に取り付けられる位置（図２１Ａ〜図２１Ｃ）において、接触要素６が対応の接触要素７と電気的に接触する。
【０１３２】
図２２Ａ〜図２２Ｃから図２４Ａ〜図２４Ｃに示された例示的な実施形態は、図１Ａ，図１Ｂから図６Ａ〜図６Ｃに基づいて説明した例示的な実施形態と同一であり、付加的に、一方側において締結モジュール２に、他方側において取付アセンブリ３に電気的接触要素６が設けられており、これらの接触要素は、前記締結モジュールが取付アセンブリ３に取り付けられたとき（図２４Ａ〜図２４Ｃ）、電気的接触をなすことで、例えば、アセンブリ５（例えば、携帯電話の形態の電子機器）への電力供給をするために、またはデータ接続を提供するために、連結装置１と関連付けられたアセンブリ間に電気的接続を形成することが可能である。
【０１３３】
それ以外の点では、図２２Ａ〜図２２Ｃから図２４Ａ〜図２４Ｃに記載される例示的な実施形態について、図１Ａ，図１Ｂから図６Ａ〜図６Ｃに記載される例示的な実施形態について述べた内容を参照されたい。
【０１３４】
本発明の根底にある着想は上述した例示的な実施形態に限定されず、基本的には、全く異なる方法で実現することも可能である。
【０１３５】
特に、負圧力を与えるために相互に作用する要素を全く異なるものとすることが可能である。この点について、上述した実施形態はあくまでも例示として理解されたい。
【０１３６】
本明細書に記載した形式の連結装置は、全く異なるアセンブリ同士を固定するために使用することができる。特に、この連結装置の用途は、本明細書に記載した例に限定されない。有利なことに、この連結装置は、例えばカメラまたは携帯電話などの電子機器を固定するために使用してもよい。しかし、必ずしもこれに限定されない。
【符号の説明】
【０１３７】
１  連結装置
２  締結モジュール
２０  ケーシング部
２００  内側面
２０１  固定点
２０２  案内要素
２１  案内部
２１０  側面
２１１  案内トラック（スロット）
２１２  開口
２２３  カラー
２２  付勢要素（ばね要素）
２３  調整要素
２３０  シャンク
２３１  固定点
２３２  上部
２３３  押し込み結合部（押し込み結合開口）
２３４  収容開口
２３５  閉止要素
２３６  案内片
２４  磁石要素
２５  円筒部
２５０  内面
２５１  流れ開口
２５２  係合部（歯状部）
２５３  円筒キャビティ
２５４  シール
２５５  収容開口
２５６  係合開口
２６  締結ばね
２７  負圧要素（カップ要素）
２７０  カラー
２７１  開口
２７２  可撓性縁部
２７３  本体部
２７４  流れ開口
２７５  軸受要素
２７６  軸要素
２７７  案内手段
２８  作動要素
２８０  ばね要素
２８１  部分
２８２  上端
２８３  固定点
２９  蓋
３  取付アセンブリ
３０  取付部
３００  押し込み結合部
３０１  係合部（歯状部）
３０２  収容開口
３０３  ねじ部
３０４  表面
３１  磁石要素
４  アセンブリ
５  アセンブリ
５０  取付部分（取付面）
５００  開口
５０１ ねじ部
５１  容器本体
６，７  電気的接触要素
６０  電線
６１  接触ピン
６２  ばね要素
Ａ  取付方向
Ｂ  空間
Ｄ  回転方向
Ｆ  空気流
Ｏ  開放方向
Ｒ  回転軸心
【図１Ａ】
2021501835.tif 000003
【図１Ｂ】
2021501835.tif 000004
【図２Ａ】
2021501835.tif 000005
【図２Ｂ】
2021501835.tif 000006
【図２Ｃ】
2021501835.tif 000007
【図３Ａ】
2021501835.tif 000008
【図３Ｂ】
2021501835.tif 000009
【図３Ｃ】
2021501835.tif 000010
【図４Ａ】
2021501835.tif 000011
【図４Ｂ】
2021501835.tif 000012
【図４Ｃ】
2021501835.tif 000013
【図５Ａ】
2021501835.tif 000014
【図５Ｂ】
2021501835.tif 000015
【図５Ｃ】
2021501835.tif 000016
【図６Ａ】
2021501835.tif 000017
【図６Ｂ】
2021501835.tif 000018
【図６Ｃ】
2021501835.tif 000019
【図７Ａ】
2021501835.tif 000020
【図７Ｂ】
2021501835.tif 000021
【図７Ｃ】
2021501835.tif 000022
【図８Ａ】
2021501835.tif 000023
【図８Ｂ】
2021501835.tif 000024
【図９Ａ】
2021501835.tif 000025
【図９Ｂ】
2021501835.tif 000026
【図９Ｃ】
2021501835.tif 000027
【図１０Ａ】
2021501835.tif 000028
【図１０Ｂ】
2021501835.tif 000029
【図１０Ｃ】
2021501835.tif 000030
【図１１Ａ】
2021501835.tif 000031
【図１１Ｂ】
2021501835.tif 000032
【図１２Ａ】
2021501835.tif 000033
【図１２Ｂ】
2021501835.tif 000034
【図１２Ｃ】
2021501835.tif 000035
【図１３Ａ】
2021501835.tif 000036
【図１３Ｂ】
2021501835.tif 000037
【図１３Ｃ】
2021501835.tif 000038
【図１４】
2021501835.tif 000039
【図１５Ａ】
2021501835.tif 000040
【図１５Ｂ】
2021501835.tif 000041
【図１６Ａ】
2021501835.tif 000042
【図１６Ｂ】
2021501835.tif 000043
【図１６Ｃ】
2021501835.tif 000044
【図１７Ａ】
2021501835.tif 000045
【図１７Ｂ】
2021501835.tif 000046
【図１７Ｃ】
2021501835.tif 000047
【図１８Ａ】
2021501835.tif 000048
【図１８Ｂ】
2021501835.tif 000049
【図１８Ｃ】
2021501835.tif 000050
【図１９Ａ】
2021501835.tif 000051
【図１９Ｂ】
2021501835.tif 000052
【図１９Ｃ】
2021501835.tif 000053
【図２０Ａ】
2021501835.tif 000054
【図２０Ｂ】
2021501835.tif 000055
【図２０Ｃ】
2021501835.tif 000056
【図２１Ａ】
2021501835.tif 000057
【図２１Ｂ】
2021501835.tif 000058
【図２１Ｃ】
2021501835.tif 000059
【図２２Ａ】
2021501835.tif 000060
【図２２Ｂ】
2021501835.tif 000061
【図２２Ｃ】
2021501835.tif 000062
【図２３Ａ】
2021501835.tif 000063
【図２３Ｂ】
2021501835.tif 000064
【図２３Ｃ】
2021501835.tif 000065
【図２４Ａ】
2021501835.tif 000066
【図２４Ｂ】
2021501835.tif 000067
【図２４Ｃ】
2021501835.tif 000068
【国際調査報告】
2021501835.tif 000069
2021501835.tif 000070
2021501835.tif 000071
2021501835.tif 000072
2021501835.tif 000073
2021501835.tif 000074
2021501835.tif 000075
2021501835.tif 000076
2021501835.tif 000077